(57)【要約】【課題】運転状態を変更せずにかご内通話装置と監視センターとの間で通話試験を行うことができるエレベーターの遠隔監視システムの提供。【解決手段】かご１内に設けられ、外部と通信して通話を可能にするかご内通話装置２とを備えたエレベーターに適用され、エレベーターを遠隔的に監視する遠隔監視装置６と、この遠隔監視装置６に接続された管理人室７と、遠隔監視装置６に接続され、かご内通話装置２と通信してかご内通話装置２の通話試験を行う監視センター１０とを備え、管理人室７は、遠隔監視装置６を経由してかご内通話装置２と通信する管理人室内通話装置８を有するエレベーターの遠隔監視システムにおいて、遠隔監視装置６は、かご内通話装置２と監視センター１０との間で通話試験が行われるとき、かご内通話装置２と管理人室内通話装置８との通信を切離す切離設定手段６Ａを有する。【選択図】図１
2013052975.tif 000002
【特許請求の範囲】
【請求項１】
かごと、このかご内に設けられ、外部と通信して通話を可能にするかご内通話装置とを備えたエレベーターに適用され、このエレベーターを遠隔的に監視する遠隔監視装置と、この遠隔監視装置に接続された管理人室と、前記遠隔監視装置に接続され、前記かご内通話装置と通信して前記かご内通話装置の通話試験を行う監視センターとを備え、前記管理人室は、前記遠隔監視装置を経由して前記かご内通話装置と通信する管理人室内通話装置を有するエレベーターの遠隔監視システムにおいて、
前記遠隔監視装置は、前記かご内通話装置と前記監視センターとの間で前記通話試験が行われるとき、前記かご内通話装置と前記管理人室内通話装置との通信を切離す切離設定手段を有することを特徴とするエレベーターの遠隔監視システム。
【請求項２】
請求項１に記載のエレベーターの遠隔監視システムにおいて、
前記切離設定手段は、前記通話試験を行う作業者が、かご内の運転盤に設けた切離設定スィッチの操作、及び、運転盤に設けられる前記切離設定スィッチ以外の２つ以上のスィッチを組み合わせた所定の操作、前記作業者がかご内で携帯端末の所定の操作のいずれかで行うようにしたことを特徴とするエレベーターの遠隔監視システム。
【請求項３】
請求項１又は２に記載のエレベーターの遠隔監視システムにおいて、
前記切離設定手段は、前記通話試験が終了したとき、前記かご内通話装置と前記管理人室内通話装置との通信の切離を解除するようにしたことを特徴とするエレベーターの遠隔監視システム。
【請求項４】
請求項１又は２に記載のエレベーターの遠隔監視システムにおいて、
前記切離設定手段は、前記通話試験が実施されなかったとき、エレベーターの走行、またはかごドアの開及び閉動作の少なくとも1つの実施で、前記かご内通話装置と前記管理人室内通話装置との通信の切離を解除することを特徴とするエレベーターの遠隔監視システム。
【発明の詳細な説明】
【技術分野】
【０００１】
本発明は、かご内通話装置と監視センターとの間で行われる通話試験を行うのに好適なエレベーターの遠隔監視システムに関する。
【背景技術】
【０００２】
一般的に、エレベーターは、昇降路を昇降するかごと、このかご内に設けられ、外部と通信して通話を可能にするインターホン等のかご内通話装置とを備えている。また、エレベーターの外部には、管理人が待機する管理人室が設置されており、この管理人室はかご内通話装置と通信する管理人室内通話装置を有している。そのため、仮に乗客がかご内に閉じ込められた場合でも、乗客が管理人室内の管理人等とかご内通話装置で連絡をとることにより、長時間に渡ってかご内に閉じ込められるのを回避することができる。
【０００３】
また、従来から、エレベーターを遠隔的に監視する遠隔監視システムが用いられており、この遠隔監視システムは、公衆回線網を経由してエレベーターの管理等を行う監視センターと接続されている。この遠隔監視システムは、エレベーターの運転状況を監視する機能と、かご内に閉じ込められた乗客と監視センターのオペレータが直接通話する機能とを備えている。
【０００４】
このように、かご内通話装置による通話は緊急性を要し、かご内通話装置の動作を確認する通話試験が定期的に行われることは重要なので、かご内の作業者がかご内通話装置を操作し、監視センターと通話することによってかご内通話装置の通話試験を行っている。
【０００５】
ここで、管理人室内通話装置にはかご内通話装置から通話する場合に鳴動するブザーが設けられているので、かご内通話装置の通話試験において作業者がかご内通話装置の呼釦を押すと、管理人室内通話装置のブザーが鳴動する。特に、作業者が調整等でかご内通話装置の呼釦を複数回押す場合には、呼釦が押される毎に管理人室内通話装置のブザーが鳴動する。
【０００６】
そのため、管理人が応答する必要のない通話に時間をとられることになり、管理人に迷惑がかかるので、作業者は通話試験によって管理人室内通話装置のブザーが鳴動することを予め管理人に断らなければならず、不便である。そこで、エレベーターのかごに設けられているかご内通話装置の通話釦、すなわち呼釦の押圧により、エレベーターの機械室内の通話装置及び管理人室内通話装置とかご内通話装置とが通話可能であり、かご内に設けられる保守スイッチの投入で、かご内通話装置から管理人室内通話装置への呼出しを不能とする通話選択回路を備えたエレベーターの通話装置が提案されている（例えば、特許文献１参照）。
【先行技術文献】
【特許文献】
【０００７】
【特許文献１】特開平０８−２５９１３２号公報
【発明の概要】
【発明が解決しようとする課題】
【０００８】
しかし、上述した特許文献１に開示された従来技術のエレベーターの通話装置では、作業者がかご内通話装置と監視センターとの間で通話試験を行ったとき、保守スイッチの投入によってエレベーターは通常運転から保守運転に切替わり、保守運転の状態が継続されるので、エレベーターを利用しようとする人もその間エレベーターを利用することはできなくなる。利用客がエレベーターを利用できない間、利用客に報知するため通話試験前に「点検中」の札を貼り、通話試験終了後「点検中」の札を外している。通話試験自体は短時間で終了するものの、前後の札貼り・外しを含めると長時間エレベーターの利用ができず、利用客への不便をお掛けするので、改善が求められている。このように、通話試験に伴ってかごが通常走行から低速走行に切替わることで作業者及び乗客の双方に不都合が生じるので、エレベーターの運転状態を変更しなくても通話試験を行うことができるシステムが要望されている。
【０００９】
本発明は、このような従来技術の実情からなされたもので、その目的は、通話試験を行うときに管理人室内通話装置の呼び出しブザーを鳴動させることなく、運転状態を変更せずにかご内通話装置と監視センターとの間で通話試験を行うことができるエレベーターの遠隔監視システムを提供することにある。
【課題を解決するための手段】
【００１０】
上記の目的を達成するために、本発明のエレベーターの遠隔監視システムは、かごと、このかご内に設けられ、外部と通信して通話を可能にするかご内通話装置とを備えたエレベーターに適用され、このエレベーターを遠隔的に監視する遠隔監視装置と、この遠隔監視装置に接続された管理人室と、前記遠隔監視装置に接続され、前記かご内通話装置と通信して前記かご内通話装置の通話試験を行う監視センターとを備え、前記管理人室は、前記遠隔監視装置を経由して前記かご内通話装置と通信する管理人室内通話装置を有するエレベーターの遠隔監視システムにおいて、前記遠隔監視装置は、前記かご内通話装置と前記監視センターとの間で前記通話試験が行われるとき、前記かご内通話装置と前記管理人室内通話装置との通信を切離す切離設定手段を有することを特徴としている。
【００１１】
このように構成した本発明は、エレベーターを利用する乗客は、緊急時等にかご内に設けられたかご内通話装置で管理人室内通話装置と通信することにより、管理人室で待機する管理人と通話することができる。そして、作業者がかご内通話装置の動作確認を行うためにかご内通話装置と監視センターとの間で通話試験を行う場合には、遠隔監視装置の切離設定手段がかご内通話装置と管理人室内通話装置との通信を切離す切離設定を行うことにより、通話試験に伴って管理人がかご内通話装置の通話を受けて呼び出されることもない。さらに、切離設定手段によって遠隔監視装置を経由してかご内通話装置と管理人室内通話装置との通信を切離すので、通話試験に伴ってかごの走行状態を通常走行から低速走行へ切替えずに済む。これにより、かごの運行効率を維持した状態で通話試験を行うことができ、通話試験による乗客の待ち時間を省くと共に、点検札の貼り外しによる作業者の作業時間を短縮することができる。このように、エレベーターの運転状態を変更せずにかご内通話装置と監視センターとの間で通話試験を行うことができる。
【００１２】
また、本発明に係るエレベーターの遠隔監視システムは、前記発明において、前記切離設定手段は、前記通話試験を行う作業者が、かご内の運転盤に設けた切離設定スィッチの操作、及び、運転盤に設けられる前記切離設定スィッチ以外の２つ以上のスィッチを組み合わせた所定の操作、前記作業者がかご内で携帯端末の所定の操作のいずれかで行うようにしたことを特徴としている。
【００１３】
このように構成した本発明は、切離設定手段の切離設定をかご内に設けたスィッチの操作や携帯端末を接続することによって、エレベーターの運転状態を変更せずに設定できるので、確実簡単に実施することができる。
【００１４】
また、本発明に係るエレベーターの遠隔監視システムは、前記発明において、前記切離設定手段は、前記通話試験が終了したとき、前記かご内通話装置と前記管理人室内通話装置との通信の切離を解除するようにしたことを特徴としている。このように構成した本発明は、通話試験が終了した場合、自動的にかご内通話装置と管理人室内通話装置との通信の切離を解除するようにしたので、特に何も操作する必要がない。
【００１５】
また、本発明に係るエレベーターの遠隔監視システムは、前記発明において、前記切離設定手段は、前記通話試験が実施されなかったとき、エレベーターの走行、またはかごドアの開及び閉動作の少なくとも1つの実施で、前記かご内通話装置と前記管理人室内通話装置との通信の切離を解除することを特徴としている。このように構成した本発明は、通話試験が何らかの理由で実施されなかった場合、かご内通話装置と管理人室内通話装置との通信の切離の状態が継続され、エレベーターの走行、またはかごドアの開及び閉動作の少なくとも1つの実施で、自動的にかご内通話装置と管理人室内通話装置との通信の切離を解除するようにしたので、解除忘れを確実に防止できる。
【発明の効果】
【００１６】
本発明のエレベーターの遠隔監視システムは、エレベーターを遠隔的に監視する遠隔監視装置は、かご内通話装置と監視センターとの間で通話試験が行われるとき、かご内通話装置と管理人室内通話装置との通信を切離す切離設定を行う切離設定手段を有することにより、遠隔監視装置における切離設定手段の切離設定によって通話試験が行われている間に管理人がかご内通話装置の通話を受けて呼び出されることもなく、通話試験に伴ってエレベーターを通常運転から保守運転へ切替えずに済む。これにより、かごの運行効率を維持した状態で通話試験を行うことができ、通話試験による乗客の待ち時間を省くと共に、作業者の作業時間を短縮することができる。このように、エレベーターの運転状態を変更せずにかご内通話装置と監視センターとの間で通話試験を行うことができ、従来よりも通話試験における作業効率を向上させることができる。
【図面の簡単な説明】
【００１７】
【図１】本発明に係るエレベーターの遠隔監視システムの一実施形態の構成を示す図である。
【図２】本実施形態の動作を説明するフローチャートである。
【発明を実施するための形態】
【００１８】
以下、本発明に係るエレベーターの遠隔監視システムを実施するための形態を図に基づいて説明する。
【００１９】
本発明に係るエレベーターの遠隔監視システムの一実施形態は、例えば図１に示すようにかご１と、このかご１内に設けられ、外部と通信して通話を可能にするかご内通話装置２とを備えたエレベーターに適用される。そして、本実施形態は、エレベーターを遠隔的に監視する遠隔監視装置６と、この遠隔監視装置６に接続された管理人室７と、遠隔監視装置６に公衆回線網９を介して接続され、かご内通話装置２と通信してかご内通話装置２の通話試験を行う監視センター１０とを備え、管理人室７は、遠隔監視装置６を経由してかご内通話装置２と通信する管理人室内通話装置８を有している。
【００２０】
また、本実施形態は、遠隔監視装置６に接続され、かご１等の動作を制御するエレベーター制御盤５を備え、かご内通話装置２は通話の呼出しを行う図示しない呼釦を有している。かご１に乗車した作業者３は、例えばかご内通話装置２と管理人室内通話装置８との通信を切離設定手段６Ａにより切離すため、かご１内に設置されている切離設定スィッチ６Ｂあるいは携帯する携帯端末４を操作することにより、かご内通話装置２と管理人室内通話装置８との通信を切離し通話試験を行う指令等を出力するようにしている。
【００２１】
ここで、切離設定スィッチ６Ｂあるいは携帯端末４を操作することにより、かご内通話装置２と管理人室内通話装置８との通信を切離し通話試験を行う指令等を出力するようにしたが、エレベーターの運転盤内の他のスィッチを組み合わせて操作、例えば開釦と閉釦の同時押しのような操作をして、かご内通話装置２と管理人室内通話装置８との通信を切離し通話試験を行う指令等を出力するようにしても良い。
【００２２】
上述した監視センター１０は、遠隔監視装置６から公衆回線網９を介して通話試験を行う指令を受けた後にかご内通話装置２から遠隔監視装置６及び公衆回線網９を介して作業者３が通話試験を行う通話試験データ受信装置１１と、通常エレベーターの異常通報や通話試験ではないかご１内からの通話要求に対応する異常通報データ受信装置１２とを有している。
【００２３】
上記システムにおいて、エレベーターに異常があり通報する場合やかご１内の乗客が通話装置２の呼釦を操作して監視センター１０に通報するときは、遠隔監視装置６は異常通報データ受信装置１２にダイヤル発信を行い、公衆回線網９を介して監視センター１０の異常通報データ受信装置１２へ異常通報データを送信する。監視センター１０のオペレータは、当該のエレベーターへ作業員の出動指示をしたり、通話の場合は異常通報データ受信装置１２の図示しない通話機器を使用して、かご１内の乗客と通話を行う。かご１内の乗客が通話装置２の呼釦を操作したとき、管理人室内通話装置８の図示しない呼び出しブザーは鳴動する。
【００２４】
一方、かご内通話装置２の通話試験を行う場合には、かご１内の作業者３は、切離設定スィッチ６Ｂを操作してかご内通話装置２を通話試験モードに設定し、遠隔監視装置６の切離設定手段６Ａを動作させ、かご内通話装置２のラインから管理人室内通話装置８を切離す。その後、かご内通話装置２の呼釦を操作して通話を実施しようとしても遠隔監視装置６の切離設定手段６Ａが管理人室内通話装置８を切離しているため、管理人室内通話装置８の呼び出しブザーが鳴動することは無い。また、かご内通話装置２は通話試験モードに設定されているため、通常の異常通報先とは異なる通話試験データ受信装置１１に遠隔監視装置６はダイヤル発信を行い、公衆回線網９を介して監視センター１０の通話試験データ受信装置１１へ通話試験データを送信する。そして、かご１内の作業者３は通話試験データ受信装置１１との間で通話試験を行う。通話試験の具体的内容は省略する。通話試験が終了すると、遠隔監視装置６は通話試験モードを解除し、切離設定手段６Ａによる管理人室内通話装置８の切離を解除し、通常の監視モードになる。
【００２５】
ここで、作業員が何らかの理由で通話試験が実施されなかった場合は、作業員はエレベーターを走行させ、遠隔監視装置６はエレベーター制御盤５からエレベーターの走行信号を受け取り、通話試験モードを解除する。ここでは、エレベーターの走行信号で通話試験モードを解除したが、かごドアの開閉信号等で解除しても良い。
【００２６】
次に、本実施形態の動作を図２のフローチャートに基づいて説明する。
【００２７】
図２は本実施形態の動作を説明するフローチャートである。
【００２８】
本実施形態では、まず遠隔監視装置６は、かご１内の切離設定スィッチ６Ｂの操作の有無を判断し（ステップ（以下、Ｓと記す）１）、切離設定スィッチ６Ｂの操作があった場合は通話試験モードに設定し切離設定手段６Ａにより管理人室内通話装置８を切離す（Ｓ２）。
【００２９】
そして、遠隔監視装置６は、エレベーター制御盤６から走行信号の有無を判断する（Ｓ３）、次に、かご内通話装置２の呼釦の操作の有無を判断する（Ｓ４）。ここで、呼釦の操作が無ければ手順Ｓ３へ戻る。
【００３０】
次に、手順Ｓ４において遠隔監視装置６は、かご内通話装置２の呼釦が操作されたと判断すると、遠隔監視装置６は通話試験モードなので、通話試験データ受信装置１１にダイヤル発信を行う（Ｓ５）。遠隔監視装置６は通話試験データ受信装置１１との間で通話試験を実施する（Ｓ６）。
【００３１】
遠隔監視装置６は、通話試験データ受信装置１１との通話試験を終了すると、遠隔監視装置６は通話試験モードを解除し、切離設定手段６Ａによる管理人室内通話装置８の切離を解除し（Ｓ７）、通常の監視モードになる（Ｓ８）。
【００３２】
手順Ｓ３において遠隔監視装置６は、エレベーター制御盤５からの走行信号を受け取ると、通話試験モードを解除し、切離設定手段６Ａによる管理人室内通話装置８の切離を解除し（Ｓ７）、通常の監視モードなる（Ｓ８）。
【００３３】
このように構成した本実施形態は、エレベーターを利用する乗客は、緊急時等にかご１内に設けられたかご内通話装置２で管理人室内通話装置８と遠隔監視装置６を介して通信することにより、管理人室７で待機する管理人と通話することができる。そして、作業者３がかご内通話装置２の動作確認を行うためにかご内通話装置２と監視センター１０との間で通話試験を行う場合には、手順Ｓ１において作業者３の切離設定スィッチ６Ｂの操作により遠隔監視装置６の切離設定手段６Ａがかご内通話装置２と管理人室内通話装置８との通信を切離す切離設定を行うことにより、通話試験に伴って管理人室内通話装置８の呼び出しブザーが鳴動することもなく、また管理人がかご内通話装置２の通話を受けて呼び出されることもないので、管理人の業務を妨げることも無い。さらに、エレベーターを通常運転から保守運転へ切替えずに通話試験モードに設定するので、乗客が利用可能な状態で通話試験を行うことができ、通話試験による乗客の待ち時間を省くと共に、通話試験前後の点検札の札貼り取り外し等作業者３の作業時間を短縮することができる。このように、エレベーターの運転状態を変更せずにかご内通話装置２と監視センター１０との間で通話試験を行うことができ、通話試験における作業効率を向上させることができる。
【００３４】
また、本実施形態は、手順Ｓ２において通話試験モードに設定し切離設定手段６Ａの切離設定によってかご内通話装置２と管理人室内通話装置８との通信が遮断された場合であっても、何らかの理由で通話試験が実施できなかった場合、手順Ｓ３でエレベーターを走行させることにより通話試験が終了したと見做し、手順Ｓ７で通話試験モードを解除し、切離設定手段６Ａによる管理人室内通話装置８の切離を解除し、手順Ｓ８で通常監視モードに復帰する。この結果、仮に作業者３が通話試験を実施できなくとも通信が遮断された状態で放置されるのを防止することができ、支障なく常時かご内通話装置２を使用することが可能となり、乗客に対する高い安全性を確保することができる。
【００３５】
また、本実施形態は、切離設定スィッチ６Ｂの操作により切離設定を実施したが、運転盤の開釦と閉釦の同時押しのように乗客が容易に操作できるスイッチを使用し、乗客の何らかの操作で同時押しのような状況が発生した場合には、切離設定手段６Ａが動作し管理人室内通話装置８を切離しても、エレベーターが走行を開始すると切離設定手段６Ａによる管理人室内通話装置８の切離を解除するので、走行中に故障が発生し乗客がかご１内に閉じ込められてかご内通話装置２を使用しても、管理人室内通話装置８の呼び出しブザーも鳴動し通話も支障なく使用できるので安心である。
【符号の説明】
【００３６】
２  かご内通話装置
５  エレベーター制御盤
６  遠隔監視装置
６Ａ  切離設定手段
６Ｂ  切離設定スィッチ
７  管理人室
８  管理人室内通話装置
９  公衆回線網
１０  監視センター
１１  通話試験データ受信装置
１２  異常通報データ受信装置
【図１】
2013052975.tif 000003
【図２】
2013052975.tif 000004